(57)【要約】  【課題】天板の微動を好適に抑制し得る構成を備えたハイテーブルを提供する。  【解決手段】ハイテーブルを、天板と、この天板の幅方向両端部を天板面が８００ｍｍ〜１０５０ｍｍの高さに保持され得るように支持する主脚と、前記天板の幅方向中央部に設けられ当該天板が水平方向に微動するのを抑制する補助脚とを備えたものとした。補助脚は、配線を通過させ得る配線挿通空間を形成した補助脚本体を備えている。このようなものであれば、天板の微動を好適に抑制し得る構成を備えたハイテーブルを提供することができるものとなる。【選択図】図１
2018079076.tif 000002
【特許請求の範囲】
【請求項１】
天板と、この天板の幅方向両端部を天板面が８００ｍｍ〜１０５０ｍｍの高さに保持され得るように支持する主脚と、前記天板の幅方向中央部に設けられ当該天板が水平方向に微動するのを抑制する補助脚とを備えたハイテーブル。
【請求項２】
前記補助脚が、配線を通過させ得る配線挿通空間を形成した補助脚本体を備えている請求項１記載のハイテーブル。
【請求項３】
前記補助脚が、前記補助脚本体における配線挿通空間を閉塞し得る配線カバーを備えたものであって、
前記配線カバーが、上端部及び下端部に前記配線を連通させ得る切欠部を備えている請求項２記載のハイテーブル。
【請求項４】
前記天板が、その前端縁のみに使用端部を備えたものであり、
前記補助脚が、前記天板の後縁寄りに配されている請求項１、２又は３記載のハイテーブル。
【請求項５】
前記天板が、前縁側のみに使用端部を備えたものであり、
前記補助脚が、前記天板の前後方向中央部に配されている請求項１記載のハイテーブル。
【請求項６】
前記補助脚が、前後に離間した少なくとも二つの接地アジャスタ、及び／又は、左右に離間した少なくとも二つの接地アジャスタとを備えたものである請求項１、２、３、４又は５記載のハイテーブル。
【請求項７】
前記補助脚が、前側における左右二箇所に配された前右アジャスタ及び前左アジャスタと、後側における左右二箇所に配された後右アジャスタ及び後左アジャスタとを備えている請求項６記載のハイテーブル。
【発明の詳細な説明】
【技術分野】
【０００１】
本発明は、オフィス等において好適に使用されるハイテーブルに関する。
【背景技術】
【０００２】
従来から、天板が床面から比較的高い位置に設定されたハイテーブルが種々知られている（例えば、特許文献１を参照）。
【０００３】
この種のハイテーブルは、一般的なテーブルよりも天板の位置が高く設定されているため、その脚の強度は一般的なテーブルのものよりも高く設定されたものとなっている。このことから、ハイテーブルの脚に関連する他の構成部分についても特別な仕様が要求されてしまい、一般的なテーブルに使用され得る天板等の部品とハイテーブルに使用され得る天板等の部品とが共通的に使用され得るものとはなっていなかった。
【０００４】
また、従来のハイテーブルは、比較的長尺な脚によって天板を支持しているため、使用時に天板が微動しやすいものとなっている。
【先行技術文献】
【特許文献】
【０００５】
【特許文献１】特開平１１−１６９２４０号公報
【発明の概要】
【発明が解決しようとする課題】
【０００６】
本発明は、以上のような事情に着目してなされたもので、少なくとも、一般的なテーブルと天板等の部品を共通化し得るための設計の自由度に優れており、且つ、天板の微動を好適に抑制し得る構成を備えたハイテーブルを提供することにある。
【課題を解決するための手段】
【０００７】
すなわち、本発明は次の構成をなしている。
【０００８】
請求項１に記載の発明は、天板と、この天板の幅方向両端部を天板面が８００ｍｍ〜１０５０ｍｍの高さに保持され得るように支持する主脚と、前記天板の幅方向中央部に設けられ当該天板が水平方向に微動するのを抑制する補助脚とを備えたハイテーブルである。
【０００９】
請求項２に記載の発明は、前記補助脚が、配線を通過させ得る配線挿通空間を形成した補助脚本体を備えている請求項１記載のハイテーブルである。
【００１０】
請求項３に記載の発明は、前記補助脚が、前記補助脚本体における配線挿通空間を閉塞し得る配線カバーを備えたものであって、前記配線カバーが、上端部及び下端部に前記配線を連通させ得る切欠部を備えている請求項２記載のハイテーブルである。
【００１１】
請求項４に記載の発明は、前記天板が、その前端縁のみに使用端部を備えたものであり、前記補助脚が、前記天板の後縁寄りに配されている請求項１、２又は３記載のハイテーブルである。
【００１２】
請求項５に記載の発明は、前記天板が、前縁側のみに使用端部を備えたものであり、前記補助脚が、前記天板の前後方向中央部に配されている請求項１記載のハイテーブルである。
【００１３】
請求項６に記載の発明は、前記補助脚が、前後に離間した少なくとも二つの接地アジャスタ、及び／又は、左右に離間した少なくとも二つの接地アジャスタとを備えたものである請求項１、２、３、４又は５記載のハイテーブルである。
【００１４】
請求項７に記載の発明は、前記補助脚が、前側における左右二箇所に配された前右アジャスタ及び前左アジャスタと、後側における左右二箇所に配された後右アジャスタ及び後左アジャスタとを備えている請求項６記載のハイテーブルである。
【発明の効果】
【００１５】
以上説明したように本発明によれば、少なくとも、一般的なテーブルと天板等の部品を共通化し得るための設計の自由度に優れており、且つ、天板の微動を好適に抑制し得る構成を備えたハイテーブルを提供することができるものとなる。
【図面の簡単な説明】
【００１６】
【図１】本発明の一実施形態を示す斜視図。
【図２】同実施形態における平面図。
【図３】同実施形態における正面図。
【図４】同実施形態における右側面図。
【図５】同実施形態における底面図。
【図６】同実施形態における斜視図。
【図７】同実施形態における分解斜視図。
【図８】他の実施形態を示す斜視図。
【図９】他の実施形態を示す斜視図。
【発明を実施するための形態】
【００１７】
以下、本発明の一実施形態を、図１〜７を参照して説明する。
【００１８】
この実施形態は、本発明を、オフィス等において使用されるハイテーブルＡに適用したものである。
【００１９】
ハイテーブルＡは、平面視において矩形状をなす天板１と、天板１の下面に添設された補強体２と、補強体２の外側面、及び、天板１の下面に取付けられた主脚３と、天板１の幅方向中央部に設けられ当該天板１が水平方向に微動するのを抑制する補助脚４とを具備してなるものである。
【００２０】
天板１は、板状のものである。天板１は、平面視において長方形状をなしている。天板１は、一般的なテーブルの高さよりも高い位置、すなわち、天板面１ｓが床面Ｆから８００ｍｍ〜１０５０ｍｍの高さに位置するものとなっている。なお、この実施形態では、天板１は、その天板面１ｓの位置が床面Ｆから約１０００ｍｍの高さに位置している。（一般的なテーブルにおける天板面の位置は、床面Ｆから６７０ｍｍ〜７２０ｍｍに設定されている。）
天板１は、前縁側のみに使用端部たる使用端縁ｅ１を備えている。天板１は、後縁側に反使用端部たる反使用端縁ｅ２を備えている。換言すれば、天板１は、その前端縁が使用者に近接する使用端縁ｅ１に設定されており、その後端縁が使用者から離れて位置した反使用端縁ｅ２に設定されている。
【００２１】
この実施形態に示される天板１はいわゆる横長なものであり、天板１の左右幅寸法は、天板１の前後幅寸法に対して約四倍に設定されている。
【００２２】
天板１は、反使用端縁ｅ２側の左右二箇所に平面視長方形状をなす配線挿通窓１１を有している。左右二箇所に離間して設けられた各配線挿通窓１１には、配線カバーｃが開閉可能に配されている。配線カバーｃは、合成樹脂製のものであり配線挿通窓１１に対して着脱可能に取り付けられている。天板１の下面には、配線挿通窓１１の下方に位置させて配線ｈｓを支持し得る配線ダクトＤが設けられている。天板１の下面には、主脚３を取付けるための脚取付部１２を複数備えている。
【００２３】
補強体２は、天板１の下面に止着されて、天板１の撓みを抑制する機能を発揮し得るものである。補強体２は、天板１の下面における前後方向中央部に配設された中央の補強ビーム２１と、中央の補強ビーム２１の左右両端部に配された端部の補強ビーム２２とを備えている。中央の補強ビーム２１は、天板１の使用端縁ｅ１及び反使用端縁ｅ２と略平行に配設されている。端部の補強ビーム２２は、天板１の左右両端部に中央の補強ビーム２１と略直交する方向に配設されている。中央の補強ビーム２１、及び、端部の補強ビーム２２は、それぞれ角パイプ状のものである。中央の補強ビーム２１、及び、端部の補強ビーム２２は、ボルトｖ１を用いて天板１の下面に取り付けられている。
【００２４】
主脚３は、天板１の幅方向両端部を天板面１ｓが８００ｍｍ〜１０５０ｍｍの高さに保持され得るように支持し得るものである。すなわち、主脚３は、通常のテーブルにおける天板１の高さ位置よりも高い位置において、天板１を支持し得る上下寸法を有したものである。主脚３は、端部の補強ビーム２２の外面に係わり合わせて天板１の下面に設けられた脚取付部１２に取り付けられた脚ブラケット３１と、脚ブラケット３１に止着された脚本体３２とを備えたものである。
【００２５】
脚ブラケット３１は、例えば、アルミダイキャスト製のもので、天板１の脚取付部１２に設けられた複数の図示しない埋設ナットに対応する部位に、天板１に止着するためのボルトｖが挿入されるボルト挿通孔ｈを備えている。脚本体３２は、脚ブラケット３１に下側から嵌合する角柱状の支柱３２１と、支柱３２１の下端部に装着された主脚アジャスタ３２２とを備えたものである。支柱３２１の上端部には脚ブラケット３１に上方から挿入された図示しない結合ボルトが螺着される図示しないナットが剛結されている。なお、この実施形態におけるハイテーブルＡは、脚ブラケット３１を天板１の下面に位置変更可能に取り付け得るように構成されている。つまり、このハイテーブルＡは、脚ブラケット３１を天板１の前端又は後端寄りに止着し得る態様と天板１の前後方向中央部寄りに止着し得る態様のいずれかに選択可能に構成されている。換言すれば、ハイテーブルＡは、その使用態様に応じて、主脚３の位置を任意に変更し得るものとなっている。
【００２６】
補助脚４は、天板１が使用者の動作に伴って水平方向に微動するのを抑制する機能を営むものであるとともに床面Ｆ側から導かれる電源ケーブルや情報ケーブル等の配線ｈｓを天板１の下面側に案内する機能を営むものである。天板１の下面側に案内された配線ｈｓは、配線ダクトＤ及び配線挿通窓１１を通過して、天板１の天板面１ｓに導かれる。この実施形態では、補助脚４は、天板１の反使用端縁ｅ２である後縁寄りにおける左右方向中央部に配されている。
【００２７】
補助脚４は、配線ｈｓを通過させ得る配線挿通空間ｓｐを形成した補助脚本体４１と、補助脚本体４１を天板１に取り付けるための補助脚ブラケット４２と、補助脚本体４１における配線挿通空間ｓｐを閉塞し得る配線カバーたるカバープレート４３と、補助脚本体４１の下面に設けられた四つの接地アジャスタである前右アジャスタ４４ａ、前左アジャスタ４４ｂ、後右アジャスタ４４ｃ、及び、後左アジャスタ４４ｄとを備えたものである。
【００２８】
補助脚本体４１は、左右に対をなして設けられた側板４１１と、左右の側板４１１における後端部間を繋ぐ背面板４１２とを主体に構成されたものである。補助脚本体４１には、左右の側板４１１と背面板４１２とによって略コ字状に囲まれた空間が形成されており、この囲まれた空間が配線ｈｓを通過させ得る配線挿通空間ｓｐとなっている。
【００２９】
左右の側板４１１における前端部の対向面には、カバープレート４３に設けられた取り付け用の切欠部ｋ３が係合し得る係合凸部ｔが設けられている。係合凸部ｔは、左右の側板４１１における上端部近傍及び下端部近傍における対向面に突出する態様で設けられている。
【００３０】
補助脚ブラケット４２は、補助脚本体４１と天板１との間に介設されている。補助脚ブラケット４２は、補助脚本体４１の上端部に取り付けられている。補助脚ブラケット４２は、天板１の下面に添設し得る天壁４２１と、天壁４２１の左右両端部から垂下した左右の側壁４２２とを備えてなるものである。天壁４２１には、天板１に取り付けるためボルト挿通孔ｈ２が設けられている。そして、ボルト挿通孔ｈ２に挿入されたボルトｖ２を天板１の下面に設けられた図示しないナット部に螺着することにより、補助脚４が天板１に取り付けられるようになっている。なお、補助脚ブラケット４２は正面視において下向きコ字状をなしており、配線ｈｓを補助脚本体４１から外部に導出しやすい形状をなしている。
【００３１】
カバープレート４３は、補助脚本体４１に着脱可能に構成されたものである。カバープレート４３は、補助脚本体４１と略同じ上下寸法に設定されている。カバープレート４３は、前壁４３１と、この前壁４３１の左右両側縁から後方に向かって延出させた側縁壁４３２とを備えている。
【００３２】
前壁４３１は、上端部及び下端部に配線ｈｓを連通させ得る切欠部たる上切欠部ｋ１及び下切欠部ｋ２を備えている。側縁壁４３２は、補助脚本体４１に設けられた係合凸部ｔに係合し得る取り付け用の切欠部ｋ３を備えている。カバープレート４３が補助脚本体４１に取り付けられた状態では、当該カバープレート４３の前壁４３１は、補助脚本体４１における側板４１１の前面よりも前に位置しないように設定されている。
【００３３】
前右アジャスタ４４ａ及び前左アジャスタ４４ｂは、補助脚本体４１の下端部に取り付けられている。前右アジャスタ４４ａは、補助脚本体４１における下端部の前側に位置し、正面視における右側に配されている。前左アジャスタ４４ｂは、補助脚本体４１における下端部の前側に位置し、正面視における左側に配されている。
【００３４】
後右アジャスタ４４ｃ及び後左アジャスタ４４ｄは、補助脚本体４１の下端部に取り付けられている。後右アジャスタ４４ｃは、補助脚本体４１における下端部の後側に位置し、正面視における右側に配されている。後左アジャスタ４４ｄは、補助脚本体４１における下端部の後側に位置し、正面視における左側に配されている。
【００３５】
前右アジャスタ４４ａ及び前左アジャスタ４４ｂは、後右アジャスタ４４ｃ及び後左アジャスタ４４ｄよりも前に位置しており、且つ、後右アジャスタ４４ｃ及び後左アジャスタ４４ｄとは離間して位置している。
【００３６】
前右アジャスタ４４ａ及び後右アジャスタ４４ｃは、前左アジャスタ４４ｂ及び後左アジャスタ４４ｄよりも右に位置しており、且つ、前左アジャスタ４４ｂ及び後左アジャスタ４４ｄとは離間して位置している。
【００３７】
なお、各アジャスタ４４ａ、４４ｂ、４４ｃ、４４ｄは、補助脚本体４１の下端部に取り付けられたアジャスタ金具ｐに螺合進退し得るようになっている。
【００３８】
以上説明したように、本実施形態に係るハイテーブルＡは、天板１と、天板１の幅方向両端部を天板面１ｓが８００ｍｍ〜１０５０ｍｍの高さに保持され得るように支持する主脚３と、天板１の幅方向中央部に設けられ天板１が水平方向に微動するのを抑制する補助脚４とを備えている。このため、天板１の微動を好適に抑制し得る構成を備えたハイテーブルＡを提供することができるものとなる。つまり、所定の高さ位置に支持された天板１を有したハイテーブルＡに、補助脚４を設けるようにしたため、天板１が水平方向に微動することが好適に抑制されたものとなっている。
【００３９】
しかも、本実施形態に示すハイテーブルＡは、補助脚４を有しているため、主脚３については一般的なテーブルに適用される主脚の取付構造と同じ取付構造を採り得るものとなる。このため、主脚３を構成する脚ブラケット３１だけでなく当該脚ブラケット３１が接続する天板１も、ハイテーブルＡに限られず一般的なテーブルとして無理なく適用し得るものとなる。換言すれば、一般的なテーブルに使用され得る天板や天板に対する脚の取付構造とハイテーブルＡに使用され得る天板１や天板１に対する主脚３の取付構造とが共通的に使用され得るものとなっている。
【００４０】
換言すれば、脚ブラケット３１や主脚アジャスタ３２２は、一般的なテーブルにも使用することが可能である。つまり、製品の製造段階においては、支柱用の押し出し成型材を、本実施形態における支柱３２１として適用される比較的長尺なもの、及び、一般的なテーブルにおける支柱として適用される所定寸法のものの二種類に裁断するだけでよいことになり、製造工程の合理化に資するものとなる。
【００４１】
つまり、本実施形態におけるハイテーブルＡとしての専用部品は、補助脚４、及び、ハイテーブルＡの条件に合わせた寸法の支柱３２１のみとなっている。
【００４２】
補助脚４が、配線ｈｓを通過させ得る配線挿通空間ｓｐを形成した補助脚本体４１を備えている。このため、配線ｈｓを外部から目立たない態様で、床面Ｆ側から天板１側に好適に導くことができるものとなっている。しかも、配線ｈｓを外部から目立ちやすい主脚３に沿わせる必要もないため、主脚３の構成をシンプル化し得るものとなっている。
【００４３】
補助脚４が、補助脚本体４１における配線挿通空間ｓｐを閉塞し得るカバープレート４３を備えたものであって、カバープレート４３が、上端部及び下端部に配線を連通させ得る切欠部たる上切欠部ｋ１及び下切欠部ｋ２を備えている。このため、配線ｈｓを外部から目立たない態様で、床面Ｆ側から天板１側に好適に導くことができるものとなっている。
【００４４】
天板１が、その前端縁のみに使用端部ｅ１を備えたものであり、補助脚４が、天板１の後縁寄りに配されている。このため、使用者から離れた好適な位置に補助脚４が配されたものとなっている。
【００４５】
補助脚４が、前後に離間した少なくとも二つの接地アジャスタと、左右に離間した少なくとも二つの接地アジャスタとを備えたものである。換言すれば、補助脚４が、前側における左右二箇所に配された前右アジャスタ４４ａ及び前左アジャスタ４４ｂと、後側における左右二箇所に配された後右アジャスタ４４ｃ及び後左アジャスタ４４ｄとを備えている。このため、補助脚４が床面Ｆに対して柔軟に接地し得るものとなっているため、天板１の微動を好適に抑制し得るものとなっている。すなわち、本実施形態における接地アジャスタ４４ａ、４４ｂ、４４ｃ、４４ｄの構成であれば、天板１における左右及び前後のいずれの方向に対する揺れをも柔軟に抑制し得るものとなっている。
【００４６】
なお、本発明は、以上に詳述した実施形態に限られるものではない。
【００４７】
天板の大きさや形状は種々のものを採用することができるものであり、上述した実施形態に示されたものに限定されるものではない。
【００４８】
補強体の配設態様や補強体の要否についても種々設定可能であることは言うまでもない。
【００４９】
天板に設けられた配線挿通窓の位置は、種々の位置に設定し得るものである。
【００５０】
補助脚の配設箇所は、適用され得るハイテーブルの大きさ等によって柔軟に変更し得るものであることは言うまでもない。
【００５１】
例えば、図８及び９に示すものは、他の実施形態であるハイテーブルＡを示している。なお、同図において、上述した実施形態と同一又は対応する構成については、同一の符号を付しており説明を省略する。当該他の実施形態では、天板１の前後幅寸法が、上述した実施形態に示したものよりも長く設定されている。そして、天板１が、前後両縁側にそれぞれ使用端部たる使用端縁ｅ１を備えている。補助脚４は、天板１の前後方向中央部に配されている。配線挿通窓１１は、天板１における前後方向中央部に形成されている。このようなものであっても、初期の目的を達成し得るものとなっている。
【００５２】
補助脚は、前後に離間した少なくとも二つの接地アジャスタを備えた構成のものであってもよい。また、補助脚は、左右に離間した少なくとも二つの接地アジャスタを備えた構成のものであってもよい。
【００５３】
その他、各部の具体的構成についても上記実施形態に限られるものではなく、本発明の趣旨を逸脱しない範囲で種々変形が可能である。
【符号の説明】
【００５４】
Ａ…ハイテーブル
１…天板
１ｓ…天板面
３…主脚
４…補助脚
【図１】
2018079076.tif 000003
【図２】
2018079076.tif 000004
【図３】
2018079076.tif 000005
【図４】
2018079076.tif 000006
【図５】
2018079076.tif 000007
【図６】
2018079076.tif 000008
【図７】
2018079076.tif 000009
【図８】
2018079076.tif 000010
【図９】
2018079076.tif 000011